(57)【要約】【課題】連続した和音を入力する際に、より少ない操作で正しく演奏可能な楽譜を入力できるようにする。【解決手段】楽譜を表示、入力、編集、及び演奏可能な楽譜情報処理装置を備えた電子楽器において、省略和音の入力を指示する省略和音入力指示手段と、上記省略和音入力指示手段により入力された省略和音と、上記省略和音が所属するパートの情報とに基づいて、上記省略和音を、演奏させるべき音符に展開する省略和音展開手段と、上記省略和音展開手段により展開された音符に基いて演奏を行うよう指示する演奏指示手段とを有し、上記演奏指示手段によって演奏を行うよう指示されたとき、上記省略和音展開手段によって展開された音符に基づいて演奏を行うことができるようにする。【選択図】  図３
2010091745.tif 000002
【特許請求の範囲】
【請求項１】
楽譜を表示、入力、編集、及び演奏可能な楽譜情報処理装置を備えた電子楽器において、
省略和音の入力を指示する省略和音入力指示手段と、
上記省略和音入力指示手段により入力された省略和音と、上記省略和音が所属するパートの情報とに基づいて、上記省略和音を、演奏させるべき音符に展開する省略和音展開手段と、
上記省略和音展開手段により展開された音符に基いて演奏を行うよう指示する演奏指示手段とを有し、
上記演奏指示手段によって演奏を行うよう指示されたとき、上記省略和音展開手段によって展開された音符に基づいて演奏を行うことを特徴とする電子楽器。
【請求項２】
和音が入力された際に、既に入力されている和音の情報に基づき、入力した和音が省略表記可能かどうかを判定する和音省略判定手段を更に有し、
上記和音省略判定手段により省略可能と判定された場合は省略和音として入力することを特徴とする請求項１に記載の電子楽器。
【請求項３】
入力される和音の省略方法を指示する省略方法指示手段を設けたことを特徴とする請求項１または２に記載の電子楽器。
【請求項４】
既に入力されている和音の情報と、上記和音省略判定手段の判定結果に基づき、省略可能な和音がある場合は省略和音への置き換えを指示する和音省略指示手段を有することを特徴とする請求項１〜３の何れか１項に記載の電子楽器。
【請求項５】
楽譜を表示、入力、編集、及び演奏工程をコンピュータに実行させる楽譜情報処理プログラムにおいて、
省略和音の入力を指示する省略和音入力指示工程と、
上記省略和音入力指示工程において入力された省略和音と、上記省略和音が所属するパートの情報とに基づいて、上記省略和音を、演奏させるべき音符に展開する省略和音展開工程と、
上記省略和音展開工程において展開された音符に基いて演奏を行うよう指示する演奏指示工程とをコンピュータに実行させ、
上記演奏指示工程において演奏を行うよう指示されたとき、上記省略和音展開工程において展開された音符に基づいて演奏を行うようコンピュータに実行させることを特徴とする楽譜情報処理プログラム。
【請求項６】
和音が入力された際に、既に入力されている和音の情報に基づき、入力した和音が省略表記可能かどうかを判定する和音省略判定工程を更に有し、
上記和音省略判定工程において省略可能と判定された場合は省略和音として入力することを特徴とする請求項５に記載の楽譜情報処理プログラム。
【請求項７】
入力される和音の省略方法を指示する省略方法指示工程を設けたことを特徴とする請求項５または６に記載の楽譜情報処理プログラム。
【請求項８】
既に入力されている和音の情報と、上記和音省略判定工程の判定結果に基づき、省略可能な和音がある場合は省略和音への置き換えを指示する和音省略指示工程を有することを特徴とする請求項５〜７の何れか１項に記載の楽譜情報処理プログラム。
【発明の詳細な説明】
【技術分野】
【０００１】
本発明は電子楽器及び楽譜情報処理プログラムに関し、特に、連続した和音を省略した形状で表記したり、印刷したりするために用いて好適な技術に関する。
【背景技術】
【０００２】
従来、電子楽器上で楽譜作成のプログラム（楽譜作成ソフト）を実行して楽譜を作成することが行われている。つまり、電子楽器に配設されているパーソナルコンピュータを楽譜編集装置として機能させることが知られている。例えば、各種音楽記号と五線譜とをパーソナルコンピュータに記憶させておき、これら音楽記号と五線譜とを画面上に表示させて楽譜を作成する（例えば、特許文献１を参照）。
【０００３】
このような楽譜を表示、入力、編集、演奏可能な電子楽器において、連続した和音を省略した形状で表記可能なものがあった。以下、連続した和音を省略した形状を省略和音と呼ぶ。電子楽器に備えられている表示装置の場合には大きさが制限されているので、省略和音で表示すると、小さな表示装置でも見やすい利点が得られる。図１に、省略和音の表記例を示す。
【０００４】
【特許文献１】特開２００７−４７６９２号公報
【発明の開示】
【発明が解決しようとする課題】
【０００５】
連続した和音を、電子楽器の楽譜情報処理装置に入力する場合、省略和音の状態で入力できると、連続した和音入力時の操作手順を簡略化することができる。また、電子楽器の表示装置に表示される音符を見ながら演奏する場合、和音の種類を見やすいので、演奏者は演奏するのに都合がよい。また、譜面に印刷した場合にも見やすいので、手作業で編集する場合にも都合がよい。
【０００６】
しかしながら、電子楽器で自動演奏する場合には、正しく演奏させるには、全ての音符を省略せずに、電子楽器の楽譜情報処理装置に１音ずつ入力しておく必要があるという問題点があった。
【０００７】
本発明は上述の問題点点に鑑み、連続した和音を入力する際に、より少ない操作で正しく演奏可能な楽譜を入力できるようにすることを目的とする。
【課題を解決するための手段】
【０００８】
本発明の電子楽器は、楽譜を表示、入力、編集、及び演奏可能な楽譜情報処理装置を備えた電子楽器において、省略和音の入力を指示する省略和音入力指示手段と、上記省略和音入力指示手段により入力された省略和音と、上記省略和音が所属するパートの情報とに基づいて、上記省略和音を、演奏させるべき音符に展開する省略和音展開手段と、上記省略和音展開手段により展開された音符に基いて演奏を行うよう指示する演奏指示手段とを有し、上記演奏指示手段によって演奏を行うよう指示されたとき、上記省略和音展開手段によって展開された音符に基づいて演奏を行うことを特徴とする。
また、本発明の電子楽器の他の特徴とするところは、和音が入力された際に、既に入力されている和音の情報に基づき、入力した和音が省略表記可能かどうかを判定する和音省略判定手段を更に有し、上記和音省略判定手段により省略可能と判定された場合は省略和音として入力することを特徴とする。
また、本発明の電子楽器のその他の特徴とするところは、入力される和音の省略方法を指示する省略方法指示手段を設けたことを特徴とする。
また、本発明の電子楽器のその他の特徴とするところは、既に入力されている和音の情報と、上記和音省略判定手段の判定結果に基づき、省略可能な和音がある場合は省略和音への置き換えを指示する和音省略指示手段を有することを特徴とする。
【０００９】
本発明の楽譜情報処理プログラムは、楽譜を表示、入力、編集、及び演奏可能な工程をコンピュータに実行させる楽譜情報処理プログラムにおいて、省略和音の入力を指示する省略和音入力指示工程と、上記省略和音入力指示工程において入力された省略和音と、上記省略和音が所属するパートの情報とに基づいて、上記省略和音を、演奏させるべき音符に展開する省略和音展開工程と、上記省略和音展開工程において展開された音符に基いて演奏を行うよう指示する演奏指示工程とをコンピュータに実行させ、上記演奏指示工程において演奏を行うよう指示されたとき、上記省略和音展開工程において展開された音符に基づいて演奏を行うようコンピュータに実行させることを特徴とする。
また、本発明の楽譜情報処理プログラムの他の特徴とするところは、和音が入力された際に、既に入力されている和音の情報に基づき、入力した和音が省略表記可能かどうかを判定する和音省略判定工程を更に有し、上記和音省略判定工程において省略可能と判定された場合は省略和音として入力することを特徴とする。
また、本発明の楽譜情報処理プログラムのその他の特徴とするところは、入力される和音の省略方法を指示する省略方法指示工程を設けたことを特徴とする。
また、本発明の楽譜情報処理プログラムのその他の特徴とするところは、既に入力されている和音の情報と、上記和音省略判定工程の判定結果に基づき、省略可能な和音がある場合は省略和音への置き換えを指示する和音省略指示工程を有することを特徴とする。
【発明の効果】
【００１０】
本発明によれば、省略和音展開手段を持つことにより、連続した和音を入力する時の操作手順を簡略化することができるとともに、省略和音で入力した楽譜で正しく演奏させることが可能になる。また、省略和音として入力された楽譜を、通常の和音に変換することも可能となる。
また、本発明の他の特徴によれば、連続した和音を入力した際に、省略可能な場合は自動的に省略和音として入力することができる。これにより、より見やすい楽譜を容易に得られ、記憶媒体に保存しておくデータ量を削減することができる。
また、本発明のその他の特徴とするところは、状況に応じてより効率的な入力方法を選択可能となる。
また、本発明のその他の特徴とするところは、既に入力されているデータに対して、省略可能な場合は省略和音に変換することができるので、より見やすい楽譜を容易に得ることができ、既に入力されているデータ量を削減することができる。
【発明を実施するための最良の形態】
【００１１】
（第１の実施形態）
以下、添付の図面を参照しながら、本発明の実施形態を説明する。
図１は、和音を省略して表記した楽譜の一例を示す図である。図１（ａ）のように、最初の和音のみ通常の和音表記を行い、連続して同じ構成音の和音が続くときは、音符の玉をまとめて一つの図形で表したり、玉を描画せずに表したりする。そして、演奏時には、直前に記述された通常の和音と同じ構成音の和音を、符尾からわかる音符の長さで演奏する。
【００１２】
また、図１（ｂ）のようにコードネームと省略和音とを組み合わせて、コードネームに基づいて各省略和音の構成音を決定し、符尾からわかる音符の長さで演奏することもある。
【００１３】
図２は、本実施形態の電子楽器に備えられている楽譜表示装置の画面の一例を示す図である。音符パレット２１で入力する音符の種類を選び、五線譜上にカーソルを移動して、入力したい位置でマウスをクリックすることで、その位置に音符が入力される。
【００１４】
既に入力されている音符と同じ種類の音符を、Ｘ座標が近い位置に入力した場合は、和音として入力される。省略和音を入力する場合は、入力プロパティ２２で省略和音を指定して、五線譜上の入力したい位置でマウスをクリックすることでその位置に省略音符が入力される。
【００１５】
演奏指示手段として設けられているマウス７で演奏が指示されると、各パートに対して、直前に入力されている通常和音と同じ構成音となるように、各省略和音が展開され、展開された構成音に基づいて演奏が開始される。
【００１６】
なお、構成音の展開は入力時に行うようにしてもよい。また、メトロノームや他のパートの演奏を再生させながら入力を行う、いわゆるリアルタイム入力において、省略和音を指定して入力する省略和音入力指示手段を設けることにより、リズムのみを入力させるようにすることも可能である。
【００１７】
この場合、リズムの指定は、マウスのクリック、外部ＭＩＤＩキーボードなどの省略和音入力指示手段が考えられるが、これに限らない。外部ＭＩＤＩキーボードを使用する場合は、どの鍵盤を押しても同じ省略和音が入力されるようにしておけば、リズムのみの入力に集中できる。
【００１８】
また別の例では、通常和音を入力する際に、それ以前に入力されている通常の和音を探し、その構成音が現在入力中の和音と同じ場合は、省略可能だと判定して現在入力中の和音構成音を削除し、省略音符として入力する。もしくは、現在入力中の和音構成音を削除せずに、表示のみ省略和音としてもよい。
【００１９】
さらに、自動的に省略和音に変換するかどうかを指定可能にしてもよい。さらに別の例では、既に入力されている和音を選択状態にしておき、和音省略ボタンを押すことで省略可能な和音は省略和音に変換される。また、省略和音の展開ボタンを押すと、省略された和音を通常和音の構成音に展開して表示される。
【００２０】
図３は、本発明の実施形態を示し、電子楽器のハードウェア構成例を示すブロック図である。図３において、電子楽器のコンピュータシステムはパーソナルコンピュータ等の汎用情報処理装置によって実現できる。
【００２１】
電子楽器１は、ＣＰＵ２、ＲＯＭ３、ＲＡＭ４、表示装置５、キーボード６、マウス７、音源部８、及び通信インタフェース９を備える。表示装置５、キーボード６、及びマウス７はそれぞれＶＲＡＭ１０、キースキャン回路１１、及びマウススキャン回路１２を介してバス１３に接続される。なお、マウス７は、タブレット、タッチスクリーン、及びタッチパネル等、周知のポインティング・デバイスであってもよい。
【００２２】
マウス７のＸ・Ｙ方向の移動量はＲＡＭ４上のカーソルポイントレジスタのカーソル座標データ（座標情報）に加算され、この座標データに基づいて表示装置５上でのマウスカーソルの位置が決定される。このように、カーソル座標データを管理することにより、指定の位置に音符が入力される。
【００２３】
キーボード６のキーのオン・オフはキースキャン回路１１で検出され、検出結果はＲＡＭ４に書き込まれる。キーボード６のキーのオン・オフが直前の状態と比較されてキーオンイベントやキーオフイベントが認識される。
【００２４】
また、電子楽器１には、ハードディスク、ＣＤ−ＲＯＭ、ＭＯディスク、ＤＶＤ，及びメモリカード等の外部記憶装置を必要に応じて設けることができるし、プリンタドライバを介してプリンタに接続することもできる。
【００２５】
ＣＰＵ２は、所定の制御プログラムに従って各種処理を実行し、本実施形態の電子楽器１の全体動作を制御する。ＲＯＭ３は、ＣＰＵ２に楽譜作成処理を実行させるための楽譜表示プログラムや五線譜、及び音符等の音楽記号を含む各種データ（楽譜情報処理プログラム）を記憶する。ＲＡＭ４は、ＣＰＵ２での処理に使用される情報を一時記憶する。
【００２６】
表示装置５は、ＬＣＤやＣＲＴ等の表示器あるいはＬＥＤ等の表示灯を含む。表示装置５には、図２で説明したように、アイコン、楽譜、複数のタグシート等を含む音楽記号の音符パレット２１、入力プロパティ２２等を表示する。
【００２７】
音源部８は音源としてのソフトウェアや効果付与のためのＤＳＰを含む。音源部８には、Ｄ／Ａ変換器、アンプ、スピーカを含むサウンドシステム１４が接続される。
【００２８】
通信インタフェース９は、ＬＡＮやインターネット、電話回線などの通信ネットワーク、あるいはＭＩＤＩ用ネットワークに接続されるインタフェースであり、サーバ等など、他の情報処理装置やＭＩＤＩ機器などの外部機器１５との各種情報の授受に使用される。本実施形態の電子楽器１は、この通信インタフェースを介して取り込んだ演奏情報に基づく楽譜作成も可能である。
【００２９】
音源部８は、ＲＡＭ４上に設けられる演奏情報記憶手段から、ノートナンバ、音色、ステップ、ゲートタイム、ベロシティ等演奏情報を読み込み、それに基づいて楽音波形の加工をしてサウンドシステム１４に出力する。
【００３０】
前述のように構成された本実施形態の電子楽器において、ＣＰＵ２，ＲＯＭ３及びＲＡＭ４よりなるコンピュータシステムにより、本実施形態における電子楽器の和音省略判定手段３１、省略和音展開手段３２などが構成される。
【００３１】
また、この他に、図示しない表示領域検出手段、楽譜表示手段、小節情報ユニット作成手段、小節情報ユニット保存手段、クリック検出手段、カーソル位置探索手段、記号選択処理手段、小節情報ユニット探索手段などが構成される。
【００３２】
表示領域検出手段は、表示画面に表示されている表示領域を検出する。楽譜表示手段は、複数の小節に亘って歌詞、音符及び記号を含む楽譜を表示画面に表示する。小節情報ユニット作成手段は、小節情報ユニットに係わる小節内の楽譜が編集された際に、前記小節情報ユニットを作成する。小節情報ユニット保存手段は、小節情報ユニット作成手段によって作成された小節情報ユニットを、前記楽譜が編集された小節の楽譜データとして記憶媒体に保存する。
【００３３】
クリック検出手段は、楽譜が表示されている領域に存在するマウスカーソルのクリックを検出する。カーソル位置探索手段は、クリック検出手段によりクリック検出が行われた際のマウスカーソル位置を探索する。記号選択処理手段は、カーソル位置探索手段によって探索されたマウスカーソル位置の小節情報ユニットに係わる小節内の記号の位置と、前記マウスカーソルがクリックされた位置を比べて記号選択処理を行う。小節情報ユニット探索手段は、表示領域検出手段によって検出された表示領域内に表示されている、前記小節に係わる楽譜データを全て包含した小節情報ユニットを探索する。
【００３４】
次に、図４のフローチャートを参照しながら、和音省略判定手段３１の処理手順を説明する。
和音省略処理が開始されると、ステップＳ４１において、カーソルを最初の和音がある位置にセットするとともに、直前和音を初期化する。
【００３５】
次に、ステップＳ４２に進み、現在位置に和音があるかどうかを判定する。この判定の結果、現在位置に和音が有る場合にはステップＳ４３に進み、和音省略判定手段３１により、直前和音と同じか否かを判定する。この判定の結果、直前和音と同じではない場合にはステップＳ４４に進み、直前和音と同じであった場合にはステップＳ４５に進む。
【００３６】
ステップＳ４４においては、ステップＳ４３で判定した和音を直前和音としてＲＡＭ４に記憶する。また、ステップＳ４５においては、ステップＳ４３で判定した和音を省略可能な和音としてマークしておく。ステップＳ４４またはステップＳ４５の処理を終了した後は、ステップＳ４６に進む。
【００３７】
ステップＳ４６においては、現在位置を次の位置に進める。その後、ステップＳ４２に戻り、現在位置に和音があるかどうかを判定する。この後の処理は上述した通りである。
【００３８】
一方、ステップＳ４２の判定の結果、和音が無い場合にはデータの終了とみなし、ステップＳ４７に進む。ステップＳ４７においては、ステップＳ４５においてマークしてある和音を省略和音に置き換える処理を行う。
【００３９】
本実施形態においては、上述したように和音省略判定手段３１により和音省略処理を実行することにより、同じ構成音の和音が連続している場合に、見やすい楽譜を容易に得られ、記憶媒体に保存しておくデータ量を削減することができる。
【００４０】
次に、図５のフローチャートを参照しながら、省略和音展開手段３２の処理手順を説明する。
省略和音展開処理が開始されると、ステップＳ５１において、カーソルを最初の和音がある位置にセットするとともに、直前和音を初期化する。
【００４１】
次に、ステップＳ５２に進み、カーソルの現在位置に和音があるかどうかを判定する。この判定の結果、和音がある場合にはステップＳ５３に進み、和音の種類を判定する。また、ステップＳ５２の判定の結果、カーソルの現在位置に和音が無い場合にはデータの終了とみなし、処理を終了する。
【００４２】
ステップＳ５３の判定の結果、和音の種類が通常和音である場合にはステップＳ５４に進み、直前和音として記憶する。また、ステップＳ５３の判定の結果、和音の種類が省略和音であった場合にはステップＳ５５に進む。
【００４３】
ステップＳ５５においては、省略和音を直前和音で置き換える処理を行う。これにより、省略和音として入力した和音を、１音ずつ入力した和音と同様な通常和音に変換することができる。ステップＳ５４またはステップＳ５５の処理を終了した後は、ステップＳ５６に進む。
【００４４】
ステップＳ５６においては、カーソルを次の位置に進める。その後、ステップＳ５２に戻り、カーソルの現在位置に和音があるかどうかを判定する。この判定の結果、カーソルの位置に和音がある場合にはステップＳ５３に進み、和音の種類を判定する。この後の処理は上述した通りである。
【００４５】
本実施形態においては、上述したように省略和音展開手段３２による省略和音の展開処理を実行する。これにより、連続した和音を入力する時の操作手順を簡略化することができるとともに、省略和音として入力した楽音データを通常和音として記憶して保存することができる。これにより、省略和音として入力した楽音データを用いて、１音ずつ入力した場合と同様に、演奏させることが可能になる。
【００４６】
また、本実施形態の電子楽器１においては、状況に応じてより効率的な入力方法を指示するための省略方法指示手段を設けることができる。このような省略方法指示手段を設けることにより、和音を入力する際に、省略和音として入力したり、１音ずつ通常和音として入力したりする方法を状況に応じて選択することが可能となる。
【図面の簡単な説明】
【００４７】
【図１】本発明の実施形態を示し、和音を省略表記する例を説明する図である。
【図２】本発明の実施形態を示し、電子楽器に配設されている表示装置の表示例を説明する図である。
【図３】本発明の実施形態を示し、電子楽器の構成例を説明するブロック図である。
【図４】本発明の実施形態を示し、和音省略の処理の詳細を示すフローチャートである。
【図５】本発明の実施形態を示し、省略和音展開処理の詳細を示すフローチャートである。
【符号の説明】
【００４８】
１  電子楽器
２  ＣＰＵ
３  ＲＯＭ
４  ＲＡＭ
５  表示装置
６  キーボード
７  マウス
８  音源部
９  通信インタフェース
１０  ＶＲＡＭ
１１  キースキャン回路
１２  マウススキャン回路
１３  バス
１４  サウンドシステム
１５  外部機器
３１  和音省略判定手段
３２  省略和音展開手段
【図１】
2010091745.tif 000003
【図２】
2010091745.tif 000004
【図３】
2010091745.tif 000005
【図４】
2010091745.tif 000006
【図５】
2010091745.tif 000007